(57)【要約】【課題】印字ヘッドの起動・停止に起因して画像上のジターを起こさないようにしたインクジェット式の画像読取記録装置を提供する。【解決手段】読取走行体により原稿の記録事項を読み取り、該読み取った記録事項を、印字用インクを充填したタンクを有する印字走行体を走行させることにより、記録媒体に記録を行うインクジェット式の画像読取記録装置において、前記読取走行体の走行方向（読取方向Ｂ）と印字走行体（印字ヘッド３１）の走行方向（印字方向Ｃ）とを、クロスさせる。【選択図】    図１
2004179741.tif 000002
【特許請求の範囲】
【請求項１】
読取走行体により原稿の記録事項を読み取り、該読み取った記録事項を、印字用インクを充填したタンクを有する印字走行体を走行させることにより、記録媒体に記録を行うインクジェット式の画像読取記録装置において、前記読取走行体の走行方向と印字走行体の走行方向とを、クロスさせることを特徴とする画像読取記録装置。
【請求項２】
請求項１記載の画像読取記録装置において、
前記読取走行体が原稿上を走行している場合には、前記印字走行体の走行を停止させることを特徴とする画像読取記録装置。
【請求項３】
請求項２記載の画像読取記録装置において、
前記原稿の全ての読み取り完了後、前記印字走行体を走行させることを特徴とする画像読取記録装置。
【請求項４】
請求項２記載の画像読取記録装置において、
前記原稿の読み取りと該読み取った原稿箇所の印字とを交互に行い、印字中には原稿読み取りを行わないことを特徴とする画像読取記録装置。
【発明の詳細な説明】
【０００１】
【発明の属する技術分野】
本発明は、画像読取記録装置に関し、特に、印字ヘッドの起動・停止に起因して画像上のジターを起こさないようにしたインクジェット式の画像読取記録装置に関する。
【０００２】
【従来の技術】
図５は、従来のインクジェット式の画像読取記録装置の外観斜視図である。
画像読取記録装置の例としては、コピー機，ＦＡＸ機，コピー機能やＦＡＸ機能等を備えたマルチファンクションマシン等がある。
【０００３】
図５に示すように、従来のインクジェット式の画像読取記録装置１００は、装置本体１１０と、カバー１２０と、給紙トレイ１３０とを備えてなる。
この画像読取記録装置１００はコピー機であり、書物などの厚手の原稿（ブック原稿）の複写（コピー）も可能である。
【０００４】
周知のように、インクジェット式の印字ヘッド（インクジェットヘッド）を備えた画像読取記録装置の特徴として以下のものが挙げられる。
▲１▼  静粛性
▲２▼    フルカラー印刷が比較的容易
【０００５】
ところで、図５に示した画像読取記録装置１００では、例えば事務机上で使用する等の大きさの制約条件から、印字ヘッドによる記録部への記録紙Ｐの搬送方向（給紙方向Ａ）と、原稿読取部の読取走行体（光学的手段等）の走査する方向（読取方向Ｂ）とが、一致（平行）するのが一般的である。図中、符号Ｃは印字走行体（印字ヘッド等）の走査する印字方向、符号Ｄは記録済みの記録紙Ｐを排出する排紙方向、符号Ｅはユーザ（利用者）が画像読取記録装置１００を操作する操作方向である。
【０００６】
【発明が解決しようとする課題】
しかしながら、印字ヘッドはブラック，シアン，マゼンタ，イエローの４種類のインクタンクを備えており、重量が重いために慣性モーメントが大きいので、印字ヘッドの起動停止時には振動を発生させやすい。
【０００７】
この印字ヘッドの起動停止時の振動は、そのまま読取走行体の移動方向への速度ムラを誘発し、画像上のジター（ジッター：揺らぎ）や色ズレ等の原因となる。また、前述のように読取走行体と印字走行体の走行方向が一致するので、印字走行体の起動停止時に発生する大きな振動成分が、そのまま読取走行体の送り速度に影響を与え、画像上のジターや色ズレ等の原因となる。
【０００８】
本発明は、上記の事情にかんがみなされたもので、印字ヘッドの起動・停止に起因して画像上のジターを起こさないようにしたインクジェット式の画像読取記録装置の提供を目的とする。
【０００９】
【課題を解決するための手段】
上記目的を達成するため請求項１記載の発明は、読取走行体により原稿の記録事項を読み取り、該読み取った記録事項を、印字用インクを充填したタンクを有する印字走行体を走行させることにより、記録媒体に記録を行うインクジェット式の画像読取記録装置において、前記読取走行体の走行方向と印字走行体の走行方向とを、クロスさせる構成としてある。
【００１０】
このようにすれば、読取走行体の走行方向と印字走行体の走行方向とを、クロスさせるので、印字走行体（印字ヘッド）によって発生する振動振幅方向が走行体の走行方向と略９０度となり、印字走行体の起動停止時で発生する振動の読取走行体への影響が抑制され、ジターの発生や色ズレの発生を防止することができる。
【００１１】
次に請求項２記載の発明は、請求項１記載の画像読取記録装置において、
前記読取走行体が原稿上を走行している場合には、前記印字走行体の走行を停止させる構成としてある。
【００１２】
このようにすれば、読取走行体が走行中は印字走行体（印字ヘッド）を停止させるので、印字走行体による起動停止時の振動が発生せず、読み取り時に発生するジターを防止することができる。
【００１３】
次に請求項３記載の発明は、請求項２記載の画像読取記録装置において、
前記原稿の全ての読み取り完了後、前記印字走行体を走行させる構成としてある。
【００１４】
このようにすれば、例えば図３に示すように、原稿の全ての読み取り完了後（読取走行体が走行していない状態）、印字走行体を走行させるので、印字走行体による起動停止時の振動が発生せず、読み取り時に発生するジターを防止することができる。
【００１５】
次に請求項４記載の発明は、請求項２記載の画像読取記録装置において、
前記原稿の読み取りと該読み取った原稿箇所の印字とを交互に行い、印字中には原稿読み取りを行わない構成としてある。
【００１６】
このようにすれば、例えば図４に示すように、原稿の或る箇所の読み取り完了後（読取走行体が走行していない状態）、その読取箇所の印字のために印字走行体を走行させるので、印字走行体による起動停止時の振動が発生せず、読み取り時に発生するジターを防止することができる。
【００１７】
【発明の実施の形態】
以下、本発明を図示の実施形態に基づいて説明する。
図１は本実施形態のインクジェット式の画像読取記録装置ＧＹの外観斜視図、図２は画像読取記録装置ＧＹの内部構成を示す側断面図である。なお、既に説明済みの部分には同一符号を付し、重複説明を省略する。
【００１８】
図１，図２に示すように、画像読取記録装置ＧＹは、読取部１０と、記録紙供給部２０と、印字部３０と、排紙部４０と、カバー５０とを備えてなる。
読取部１０には読取走行体１１が備えられ、読取方向Ｂに走行しつつ図示省略の原稿から記録事項を読み取る。読取走行体１１は、例えば光学式読取手段を備える。
【００１９】
記録紙供給部２０には、白紙状態の記録紙Ｐが図示省略のカセットに積層・載置されており、給紙コロ２１の反時計方向の回転により一枚ずつ上方に送られる。２２は、記録紙Ｐの搬送をガイドするガイド部である。２３は、葉書等の分離搬送不可能な特殊紙を手差しで挿入する特殊紙挿入口である。
【００２０】
印字部３０には、インクジェット式の印字ヘッド３１が備えられ、該印字ヘッド３１は本明細書の紙面に対して垂直方向に移動する。３２は、印字ヘッド３０を紙面垂直方向にガイドするガイドシャフトである。
【００２１】
排紙部４０は、記録紙Ｐに記録済みの出力紙ＰОを排出する排紙コロ４１と、出力紙Ｐを載置する排紙台４２を備える。
以上に説明したように、画像読取記録装置ＧＹは、読取走行体１１の読取方向Ｂと印字走行体（印字ヘッド３１）の印字方向Ｃとが、クロス（直交）する。従って、図５に示した従来例のように、読取方向Ｂと印字方向Ｃとが一致しないので、この一致に伴う起動停止時の大きな振動成分を抑えることができる。
【００２２】
次に、本実施形態の動作を説明する。
図３は、単純に、読取走行体による読み取りが完全に終わってから印字走行体を動作させる場合のフローチャート図、図４は、読取走行体が間欠動作を行い、読み取り動作の休止中にのみ印字走行体を動作させる場合のフローチャート図である。
【００２３】
先ず、図３を参照しつつ、読取走行体による読み取りが完全に終わってから印字走行体を動作させる場合を説明する。
図３に示すように、原稿を読取部１０にセットし電源スイッチをオンにしてコピーをスタートさせ（ステップＳ１）、読取走行体１１を走行させて読み取りを開始する（ステップＳ２）。原稿の読み取りが全て完了した後に読取走行体１１を停止させる（ステップＳ３）。
次いで、印字ヘッド３１を走行させて書き込みを開始し（ステップＳ４）、やがて読取走行体１１が読み取った原稿箇所の書込みが完了すると、コピーが完了する（ステップＳ５）。
【００２４】
このようにすれば、書き込み開始から（ステップＳ４）、コピー完了まで（ステップＳ５）、読取走行体１１と印字走行体（印字ヘッド３１）とが同時に走行することがないので、読取中に印字走行体の走行に伴う振動の影響を受けることが無く、ジターや色ズレを起こすことが無い。
【００２５】
次に、図４を参照しつつ、読取走行体が間欠動作を行い、読み取り動作の休止中にのみ印字走行体を動作させる場合を説明する。
図４に示すように、原稿を読取部１０にセットし電源スイッチをオンにしてコピーをスタートさせ（ステップＳ１１）、読取走行体１１を走行させて読み取りを開始する（ステップＳ１２）。予め設定した読取量（例えばＡ４版原稿の半分）の読み取りを終えるまでは、読み取りを継続する（ステップＳ１３：ＮＯ）。
【００２６】
Ａ４版原稿の半分の読み取りが終了したら原稿読取を中断し（ステップＳ１３：ＹＥＳ）、印字ヘッド３１により書き込みを開始し（ステップＳ１４）、前記原稿半分の読取分が終了するまで書き込みを継続する（ステップＳ１５：ＮＯ）。
前記原稿半分の読取分の書き込みが終了したら書き込みを中断し（ステップＳ１５：ＹＥＳ）、予定のコピー作業が完了している場合には（ステップＳ１６：ＹＥＳ）、コピーが完了する。
【００２７】
予定のコピー作業が完了していない場合には（ステップＳ１６：ＮＯ）、ステップＳ１２に戻り、ステップＳ１２〜ステップＳ１６を繰り返す。やがて全ての作業が完了したら（ステップＳ１６：ＹＥＳ）、コピーが完了する（ステップＳ１７）。
【００２８】
【発明の効果】
以上説明したように本発明によれば、以下の効果を発揮することができる。
請求項１記載の発明によれば、読取走行体の走行方向と印字走行体の走行方向とを、クロスさせるので、印字走行体（印字ヘッド）によって発生する振動振幅方向が走行体移動方向と略９０度となり、印字走行体の起動停止時で発生する振動の読取走行体への影響が最小限となり、ジターの発生や色ズレの発生を防止することができる。
【００２９】
請求項２記載の発明によれば、読取走行体が走行中は印字走行体（印字ヘッド）を停止させるので、印字走行体の振動が発生せず、読み取り時に発生するジターを防止することができる。
【００３０】
請求項３記載の発明によれば、原稿の全ての読み取り完了後（読取走行体が走行していない状態）、印字走行体を走行させるので、印字走行体による起動停止時の振動が発生せず、読み取り時に発生するジターを防止することができる。
【００３１】
請求項４記載の発明によれば、原稿の或る箇所の読み取り完了後（読取走行体が走行していない状態）、その読取箇所の印字のために印字走行体を走行させるので、印字走行体による起動停止時の振動が発生せず、読み取り時に発生するジターを防止することができる。
【図面の簡単な説明】
【図１】本発明の実施形態の外観斜視図である。
【図２】同実施形態の側断面図である。
【図３】同実施形態における、単純に、読取走行体による読み取りが完全に終わってから印字走行体を動作させる場合のフローチャート図である。
【図４】同実施形態における、読取走行体が間欠動作を行い、読み取り動作の休止中にのみ印字走行体を動作させる場合のフローチャート図である。
【図５】従来例の外観斜視図である。
【符号の説明】
Ａ  給紙方向
Ｂ  読取方向
Ｃ  印字方向
Ｄ  排紙方向
Ｅ  操作方向
ＧＹ  画像読取記録装置
Ｐ  記録紙
ＰО  出力紙
１０  読取部
１１  読取走行体
２０  記録紙供給部
２１  給紙コロ
２２  ガイド部
２３  特殊紙挿入口
３０  印字部
３１  印字ヘッド
３２  ガイドシャフト
４０  排紙部
４１  排紙コロ
４２  排紙台
５０  カバー
１００  従来の画像読取記録装置
１１０  装置本体
１２０  カバー
１３０  給紙トレイ
【図１】
2004179741.tif 000003
【図２】
2004179741.tif 000004
【図３】
2004179741.tif 000005
【図４】
2004179741.tif 000006
【図５】
2004179741.tif 000007